【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
高速で連続的に非切断方向に回転し、骨切り術部位を拡大するように構成された回転式オステオトーム（３６）であって、
当該回転式オステオトーム（３６）の回転の縦軸（Ａ）を画定するシャンク（４０）と、
前記シャンク（４０）から延在する本体（４２）であって、前記本体（４２）は、前記シャンク（４０）から離隔した先端部（４８）、及び、前記シャンク（４０）に隣接する最大直径から前記先端部（４８）に隣接する最小直径まで減少する円錐状のテーパー形状を有し、複数のらせん状の溝（６２）が前記本体（４２）の周囲に配置され、複数のランドが、前記隣接する溝（６２）の間に形成され、前記各ランドは、前記円錐状のテーパー形状の径が減少するにつれて、前記非切断方向の逆の方向に前記本体（４２）の周囲でらせん状に捻れた作用端（７２）を有する、本体（４２）と、
前記オステオトーム（３６）が高速で非切断方向に回転されつつ骨切り術部位（３２）に押し付けられたとき、加圧成形を通して周囲の骨材料を半径方向に移動させるように構成された、前記作用端（７２）と、
隣接する前記縦軸（Ａ）から前記作用端（７２）の１つに半径方向に延在する少なくとも１つの研削切れ刃（５０）を含む、前記本体（４２）の前記先端部（４８）であって、前記研削切れ刃（５０）の半径方向の外側部分が、前記本体（４２）が高速な非切断方向に前記骨切り術部位（３２）内を前進するときに骨材料を研削するように構成され、前記研削切れ刃（５０）は、略平面状の第１の裾状側面部（５４）を有し、前記第１の裾状側面部（５４）は、第１の角度で前記研削切れ刃（５０）から傾いており、略平面状の第２の裾状側面部（５６）が、前記第１の角度よりも小さい第２の角度で、前記第１の裾状側面部（５４）から離れて延在し、略平面状のリリーフポケット（５８）が、前記第２の角度よりも小さい第３の角度で、前記第２の裾状側面部（５４）から離れて延在しており、前記先端部（４８）が非切断方向への高速回転を伴って骨切り術部位（３２）内に押し付けられたときに前記研削切れ刃（５０）によって生成された骨の破片を受容して上方に導くように、前記複数の溝（６２）が前記第２の裾状側面部（５６）に直接的に開口し、前記作用端（７２）は、前記周囲の骨材料への還元のために前記溝（６２）を通して上方に導かれた前記骨の破片の粒子を自家移植するようにさらに構成されていることを特徴とする回転式オステオトーム。
【請求項２】
前記リリーフポケット（５８）から延在する、略軸方向に配置された切れ刃面（６０）をさらに含み、前記先端部（４８）が切断方向の反対方向への高速回転を伴って骨切り術部位（３２）内に押し付けられたときに前記研削切れ刃（５０）によって生成された骨の破片を受容するように、前記複数の溝（６２）が前記リリーフポケット（５８）に直接的に開口していることを特徴とする請求項１に記載の回転式オステオトーム。
【請求項３】
前記各溝（６２）は、研削面（６４）および対向する切断面（６６）を有し、前記各ランドは、実質的にマージンを有しないインターフェイスに沿って、前記作用端（７２）の各々で隣接する前記溝（６２）の切断面（６６）を結合するランド面（７０）を有することを特徴とする請求項１に記載の回転式オステオトーム。
【請求項４】
前記切断面（６６）は、前記縦軸（Ａ）に対してすくい角を形成し、前記すくい角は約ゼロ°であることを特徴とする請求項３に記載の回転式オステオトーム。
【請求項５】
前記複数の溝（６２）は、前記本体（４２）の周りに周方向に均等に配置され、前記複数の溝（６２）は少なくとも４つの溝（６２）を備えることを特徴とする請求項１に記載の回転式オステオトーム。
【請求項６】
前記本体（４２）は、前記縦軸（Ａ）に対して約１°から５°の間の円錐状のテーパー形状を有することを特徴とする請求項１に記載の回転式オステオトーム。
【請求項７】
前記溝（６２）は、約９．５°、約１１°、約１２°又は約１２．５°のらせんを有することを特徴とする請求項１に記載の回転式オステオトーム。
【請求項８】
高速で連続的に非切断方向に回転し、前進する先端部（４８）によって研削された骨の粒子を同時に自家移植しつつ、周囲の骨材料の外側への加圧成形によって、骨切り術部位を拡大するように構成された回転式オステオトーム（３６）であって、
当該回転式オステオトーム（３６）の回転の縦軸（Ａ）を画定するシャンク（４０）と、
前記シャンク（４０）に結合された本体（４２）であって、前記本体（４２）は、前記シャンク（４０）から離隔した先端部（４８）を有し、前記本体（４２）は、前記シャンク（４０）に隣接する最大直径から前記先端部（４８）に隣接する最小直径まで減少する円錐状のテーパー形状を有し、複数のらせん状の溝（６２）が前記本体（４２）の周囲に配置され、複数のランドが、前記隣接する溝（６２）の間にそれぞれ形成され、前記各ランドは、前記円錐状のテーパー形状の径が減少するにつれて、前記非切断方向の逆の方向に前記本体（４２）の周囲でらせん状に捻れた作用端（７２）を有する、本体（４２）と、
前記オステオトーム（３６）が高速で非切断方向に回転されつつ骨切り術部位（３２）に押し付けられたとき、加圧成形を通して周囲の骨材料を半径方向に移動させるように構成された、前記作用端（７２）と、
実質的に径方向の反対を向く一対の研削切れ刃（５０）を含む、前記本体（４２）の前記先端部（４８）であって、前記各研削切れ刃（５０）は、隣接する前記縦軸（Ａ）から前記作用端（７２）の径方向の反対側の対に延在し、前記研削切れ刃（５０）の半径方向の外側部分が、前記本体（４２）が高速な非切断方向に前記骨切り術部位（３２）内を前進するときに骨材料を研削するように構成され、前記各研削切れ刃（５０）は、第１の裾状側面部（５４）を有し、前記第１の裾状側面部（５４）は、第１の角度で前記研削切れ刃（５０）から傾いており、前記各研削切れ刃（５０）は、前記第１の角度よりも小さい第２の角度で、前記第１の裾状側面部（５４）の各々から離れて延在する第２の裾状側面部（５６）を有し、リリーフポケット（５８）が、前記第２の角度よりも小さい第３の角度で、前記各第２の裾状側面部（５４）から離れて延在しており、前記先端部（４８）が非切断方向への高速回転を伴って前記骨切り術部位（３２）内に押し付けられたときに前記研削切れ刃（５０）によって生成された骨の破片を受容して上方に導くように、前記複数の溝（６２）が前記第２の裾状側面部（５６）の各々に直接的に開口し、前記作用端（７２）は、前記周囲の骨材料への還元のために前記溝（６２）を通して上方に導かれた前記骨の破片の粒子を自家移植するようにさらに構成されていることを特徴とする回転式オステオトーム。
【請求項９】
前記各リリーフポケット（５８）及び隣接する前記研削切れ刃（５０）の間に略軸方向に延在する切れ刃面（６０）をさらに含み、前記先端部（４８）が切断方向の反対方向への高速回転を伴って骨切り術部位（３２）内に押し付けられたときに前記研削切れ刃（５０）によって生成された骨の破片を受容するように、前記複数の溝（６２）が前記リリーフポケット（５８）に直接的に開口していることを特徴とする請求項８に記載の回転式オステオトーム。
【請求項１０】
前記各溝（６２）は、研削面（６４）および対向する切断面（６６）を有し、前記各ランドは、実質的にマージンを有しないインターフェイスに沿って、前記作用端（７２）の各々で隣接する前記溝（６２）の切断面（６６）を結合するランド面（７０）を有することを特徴とする請求項８に記載の回転式オステオトーム。
【請求項１１】
前記切断面（６６）は、前記縦軸（Ａ）に対してすくい角を形成し、前記すくい角は約ゼロ°であることを特徴とする請求項１０に記載の回転式オステオトーム。
【請求項１２】
前記複数の溝（６２）は、前記本体（４２）の周りに周方向に均等に配置され、前記複数の溝（６２）は少なくとも４つの溝（６２）を備えることを特徴とする請求項８に記載の回転式オステオトーム。
【請求項１３】
前記本体（４２）は、前記縦軸（Ａ）に対して約１°から５°の間の円錐状のテーパー形状を有することを特徴とする請求項８に記載の回転式オステオトーム。
【請求項１４】
前記溝（６２）は、約９．５°、約１１°、約１２°又は約１２．５°のらせんを有することを特徴とする請求項８に記載の回転式オステオトーム。
【請求項１５】
前記一対の研削切れ刃（５０）は、介在するチゼルポイント（５２）によって互いにずれており、前記チゼルポイント（５２）は前記縦軸（Ａ）を通って中央に延在していることを特徴とする請求項８に記載の回転式オステオトーム。